【手続補正書】
【提出日】平成28年7月27日(2016.7.27)
【手続補正１】
【補正対象書類名】特許請求の範囲
【補正対象項目名】全文
【補正方法】変更
【補正の内容】
【特許請求の範囲】
【請求項１】
第１の共通基準信号（ＣＲＳ）送信と第２のＣＲＳ送信との間で位相不連続性が使用されるというインジケータを基地局から受信することと、
前記第１のＣＲＳ送信と前記第２のＣＲＳ送信との間で前記位相不連続性が使用されるという前記インジケータを前記基地局から受信することに少なくとも部分的に基づいて、前記第１のＣＲＳ送信と前記第２のＣＲＳ送信との間で位相連続性を維持することなしに前記第１のＣＲＳ送信と前記第２のＣＲＳ送信とを受信することと、
連続ＣＲＳ位相を使用する第３のＣＲＳ送信と第４のＣＲＳ送信とを受信することと、
前記位相連続性が前記第３のＣＲＳ送信と前記第４のＣＲＳ送信との間で使用されるというインジケータを受信することと、
前記位相連続性が前記第３のＣＲＳ送信と前記第４のＣＲＳ送信との間で使用されるという前記インジケータを受信することに少なくとも部分的に基づいて、前記第３のＣＲＳ送信と前記第４のＣＲＳ送信とをコヒーレントに結合することと
を備える、ワイヤレス通信システムにおいて共通基準信号を受信するための方法。
【請求項２】
前記第１のＣＲＳ送信と前記第２のＣＲＳ送信との間で前記位相不連続性が使用されるという前記基地局からの前記インジケータは、前記第１のＣＲＳ送信と前記第２のＣＲＳ送信とが受信される前に受信される、請求項１に記載の方法。
【請求項３】
前記第３のＣＲＳ送信と前記第４のＣＲＳ送信とがコヒーレントに結合可能であるというインジケータを受信すること
をさらに備える、請求項１に記載の方法。
【請求項４】
前記第１のＣＲＳ送信と前記第２のＣＲＳ送信とが第１のフレーム内で生じる、請求項１に記載の方法。
【請求項５】
前記第１のＣＲＳ送信と前記第２のＣＲＳ送信との間で前記位相不連続性が使用されるという前記インジケータを前記基地局から受信することに少なくとも部分的に基づいて、第１のフレームと第２のフレームとの間で前記位相不連続性が使用されると決定すること
をさらに備える、請求項１に記載の方法。
【請求項６】
前記位相不連続性が位相ランプアップを備える、請求項５に記載の方法。
【請求項７】
前記位相不連続性が、時間においてまたは周波数においてＣＲＳ位相を変化させるサイクル遅延ダイバーシティ（ＣＤＤ）を備える、請求項５に記載の方法。
【請求項８】
前記ワイヤレス通信システムが、前記第１のＣＲＳ送信と前記第２のＣＲＳ送信とに関してニューキャリアタイプ（ＮＣＴ）を使用する、請求項１に記載の方法。
【請求項９】
第１の共通基準信号（ＣＲＳ）送信と第２のＣＲＳ送信との間で位相不連続性が使用されるというインジケータを基地局から受信するための手段と、
前記第１のＣＲＳ送信と前記第２のＣＲＳ送信との間で前記位相不連続性が使用されるという前記インジケータを前記基地局から受信することに少なくとも部分的に基づいて、前記第１のＣＲＳ送信と前記第２のＣＲＳ送信との間で位相連続性を維持することなしに前記第１のＣＲＳ送信と前記第２のＣＲＳ送信とを受信するための手段と、
連続ＣＲＳ位相を使用する第３のＣＲＳ送信と第４のＣＲＳ送信とを受信するための手段と、
前記位相連続性が前記第３のＣＲＳ送信と前記第４のＣＲＳ送信との間で使用されるというインジケータを受信するための手段と、
前記位相連続性が前記第３のＣＲＳ送信と前記第４のＣＲＳ送信との間で使用されるという前記インジケータを受信することに少なくとも部分的に基づいて、前記第３のＣＲＳ送信と前記第４のＣＲＳ送信とをコヒーレントに結合するための手段と
を備える共通基準信号を受信するためのシステム。
【請求項１０】
前記第３のＣＲＳ送信と前記第４のＣＲＳ送信とがコヒーレントに結合可能であるというインジケータを受信するための手段
をさらに備える、請求項９に記載のシステム。
【請求項１１】
前記第１のＣＲＳ送信と前記第２のＣＲＳ送信とが第１のフレーム内で生じる、請求項９に記載のシステム。
【請求項１２】
前記第１のＣＲＳ送信と前記第２のＣＲＳ送信との間で前記位相不連続性が使用されるという前記インジケータを前記基地局から受信することに少なくとも部分的に基づいて、第１のフレームと第２のフレームとの間で前記位相不連続性が使用されると決定するための手段
をさらに備える、請求項９に記載のシステム。
【請求項１３】
前記位相不連続性が位相ランプアップを備える、請求項１２に記載のシステム。
【請求項１４】
前記位相不連続性が、時間においてまたは周波数においてＣＲＳ位相を変化させるサイクル遅延ダイバーシティ（ＣＤＤ）を備える、請求項１２に記載のシステム。
【請求項１５】
前記システムが、前記第１のＣＲＳ送信と前記第２のＣＲＳ送信とに関してニューキャリアタイプ（ＮＣＴ）を使用する、請求項９に記載のシステム。
【請求項１６】
プロセッサと、
前記プロセッサと電子通信状態にあるメモリと
を備え、前記メモリは、前記プロセッサによって実行されるときに前記プロセッサに動作を実行させる実行可能な命令を記憶し、前記動作は、
第１の共通基準信号（ＣＲＳ）送信と第２のＣＲＳ送信との間で位相不連続性が使用されるというインジケータを基地局から受信することと、
前記第１のＣＲＳ送信と前記第２のＣＲＳ送信との間で前記位相不連続性が使用されるという前記インジケータを前記基地局から受信することに少なくとも部分的に基づいて、前記第１のＣＲＳ送信と前記第２のＣＲＳ送信との間で位相連続性を維持することなしに前記第１のＣＲＳ送信と前記第２のＣＲＳ送信とを受信することと、
連続ＣＲＳ位相を使用する第３のＣＲＳ送信と第４のＣＲＳ送信とを受信することと、
前記位相連続性が前記第３のＣＲＳ送信と前記第４のＣＲＳ送信との間で使用されるというインジケータを受信することと、
前記位相連続性が前記第３のＣＲＳ送信と前記第４のＣＲＳ送信との間で使用されるという前記インジケータを受信することに少なくとも部分的に基づいて、前記第３のＣＲＳ送信と前記第４のＣＲＳ送信とをコヒーレントに結合することと
を備えるワイヤレス通信デバイス。
【請求項１７】
前記実行可能な命令は、前記プロセッサによって実行されるときに
前記第３のＣＲＳ送信と前記第４のＣＲＳ送信とがコヒーレントに結合可能であるというインジケータを受信すること
をさらに備える動作を前記プロセッサに実行させる、請求項１６に記載のデバイス。
【請求項１８】
前記第１のＣＲＳ送信と前記第２のＣＲＳ送信とが第１のフレーム内で生じる、請求項１６に記載のデバイス。
【請求項１９】
前記実行可能な命令は、前記プロセッサによって実行されるときに
前記第１のＣＲＳ送信と前記第２のＣＲＳ送信との間で前記位相不連続性が使用されるという前記インジケータを前記基地局から受信することに少なくとも部分的に基づいて、第１のフレームと第２のフレームとの間で前記位相不連続性が使用されると決定すること
をさらに備える動作を前記プロセッサに実行させる、請求項１６に記載のデバイス。
【請求項２０】
前記位相不連続性が位相ランプアップを備える、請求項１９に記載のデバイス。
【請求項２１】
ワイヤレス通信のためのコードを記憶する非一時的コンピュータ可読媒体であって、前記コードは、
第１の共通基準信号（ＣＲＳ）送信と第２のＣＲＳ送信との間で位相不連続性が使用されるというインジケータを基地局から受信することと、
前記第１のＣＲＳ送信と前記第２のＣＲＳ送信との間で前記位相不連続性が使用されるという前記インジケータに少なくとも部分的に基づいて、前記第１のＣＲＳ送信と前記第２のＣＲＳ送信との間で位相連続性を維持することなしに前記第１のＣＲＳ送信と前記第２のＣＲＳ送信とを受信することと、
連続ＣＲＳ位相を使用する第３のＣＲＳ送信と第４のＣＲＳ送信とを受信することと、
前記位相連続性が前記第３のＣＲＳ送信と前記第４のＣＲＳ送信との間で使用されるというインジケータを受信することと、
前記位相連続性が前記第３のＣＲＳ送信と前記第４のＣＲＳ送信との間で使用されるという前記インジケータに少なくとも部分的に基づいて、前記第３のＣＲＳ送信と前記第４のＣＲＳ送信とをコヒーレントに結合することと
を実行可能である命令を備える、非一時的コンピュータ可読媒体。
【請求項２２】
前記コードは、
前記第３のＣＲＳ送信と前記第４のＣＲＳ送信とがコヒーレントに結合可能であるというインジケータを受信すること
を実行可能である命令をさらに備える、請求項２１に記載の非一時的コンピュータ可読媒体。
【手続補正２】
【補正対象書類名】明細書
【補正対象項目名】０１２８
【補正方法】変更
【補正の内容】
【０１２８】
[00142]本開示についての以上の説明は、当業者が本開示を作成または使用することができるように提供される。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及した例についての選好を示唆せず、または必要としない。したがって、本開示は、本明細書で説明した例および設計に限定されるべきでなく、本明細書で開示する原理および新規の特徴に合致する最も広い範囲を与えられるべきである。
以下に、本願出願の当初の特許請求の範囲に記載された発明を付記する。
［Ｃ１］
第１の共通基準信号（ＣＲＳ）送信と第２のＣＲＳ送信との間で位相連続性が仮定され得ないと決定することと、
前記位相連続性を維持することなしに前記第１のＣＲＳ送信と前記第２のＣＲＳ送信とを受信することと
を備える、ワイヤレス通信システムにおいて共通基準信号を受信するための方法。
［Ｃ２］
前記第１のＣＲＳ送信と前記第２のＣＲＳ送信との間で前記位相連続性が仮定され得ないと決定することは、
前記位相連続性が仮定され得ないというインジケータを受信すること
を備える、Ｃ１に記載の方法。
［Ｃ３］
前記インジケータは、前記第１のＣＲＳ送信と前記第２のＣＲＳ送信とが受信される前に受信される、Ｃ２に記載の方法。
［Ｃ４］
連続ＣＲＳ位相を使用する第３のＣＲＳ送信と第４のＣＲＳ送信とを受信することと、
前記位相連続性が仮定され得るというインジケータを受信することと
をさらに備える、Ｃ１に記載の方法。
［Ｃ５］
前記第３のＣＲＳ送信と前記第４のＣＲＳ送信とがコヒーレントに結合され得るというインジケータを受信すること
をさらに備える、Ｃ４に記載の方法。
［Ｃ６］
前記第１のＣＲＳ送信と前記第２のＣＲＳ送信とが第１のフレーム内で生じる、Ｃ１に記載の方法。
［Ｃ７］
前記第１のＣＲＳ送信と前記第２のＣＲＳ送信との間で前記位相連続性が仮定され得ないと決定することは、
第１のフレームと第２のフレームとの間で位相不連続性が使用されると決定すること
を備える、Ｃ１に記載の方法。
［Ｃ８］
前記位相不連続性が位相ランプアップを備える、Ｃ７に記載の方法。
［Ｃ９］
前記位相不連続性が、時間においてまたは周波数においてＣＲＳ位相を変化させるサイクル遅延ダイバーシティ（ＣＤＤ）を備える、Ｃ７に記載の方法。
［Ｃ１０］
前記ワイヤレス通信システムが、前記第１のＣＲＳ送信と前記第２のＣＲＳ送信とに関してニューキャリアタイプ（ＮＣＴ）を使用する、Ｃ１に記載の方法。
［Ｃ１１］
第１の共通基準信号（ＣＲＳ）送信と第２のＣＲＳ送信との間で位相連続性が仮定され得ないと決定するための手段と、
前記位相連続性を維持することなしに前記第１のＣＲＳ送信と前記第２のＣＲＳ送信とを受信するための手段と
を備える共通基準信号を受信するためのシステム。
［Ｃ１２］
前記第１のＣＲＳ送信と前記第２のＣＲＳ送信との間で前記位相連続性が仮定され得ないと決定するための前記手段は、
前記位相連続性が仮定され得ないというインジケータを受信するための手段
を備える、Ｃ１１に記載のシステム。
［Ｃ１３］
連続ＣＲＳ位相を使用する第３のＣＲＳ送信と第４のＣＲＳ送信とを受信するための手段と、
前記位相連続性が仮定され得るというインジケータを受信するための手段と
をさらに備える、Ｃ１１に記載のシステム。
［Ｃ１４］
前記第３のＣＲＳ送信と前記第４のＣＲＳ送信とがコヒーレントに結合され得るというインジケータを受信するための手段
をさらに備える、Ｃ１３に記載のシステム。
［Ｃ１５］
前記第１のＣＲＳ送信と前記第２のＣＲＳ送信とが第１のフレーム内で生じる、Ｃ１１に記載のシステム。
［Ｃ１６］
前記第１のＣＲＳ送信と前記第２のＣＲＳ送信との間で前記位相連続性が仮定され得ないと決定するための前記手段は、
第１のフレームと第２のフレームとの間で位相不連続性が使用されると決定するための手段
を備える、Ｃ１１に記載のシステム。
［Ｃ１７］
前記位相不連続性が位相ランプアップを備える、Ｃ１６に記載のシステム。
［Ｃ１８］
前記位相不連続性が、時間においてまたは周波数においてＣＲＳ位相を変化させるサイクル遅延ダイバーシティ（ＣＤＤ）を備える、Ｃ１６に記載のシステム。
［Ｃ１９］
前記システムが、前記第１のＣＲＳ送信と前記第２のＣＲＳ送信とに関してニューキャリアタイプ（ＮＣＴ）を使用する、Ｃ１１に記載のシステム。
［Ｃ２０］
第１の共通基準信号（ＣＲＳ）送信と第２のＣＲＳ送信との間で位相連続性が仮定され得ないと決定し、
前記位相連続性を維持することなしに前記第１のＣＲＳ送信と前記第２のＣＲＳ送信とを受信する
ように構成されたプロセッサを備えるワイヤレス通信デバイス。
［Ｃ２１］
前記プロセッサは、
前記位相連続性が仮定され得ないというインジケータを受信する
ように構成された、Ｃ２０に記載のデバイス。
［Ｃ２２］
前記プロセッサは、
連続ＣＲＳ位相を使用する第３のＣＲＳ送信と第４のＣＲＳ送信とを受信し、
前記位相連続性が仮定され得るというインジケータを受信する
ように構成された、Ｃ２０に記載のデバイス。
［Ｃ２３］
前記プロセッサは、
前記第３のＣＲＳ送信と前記第４のＣＲＳ送信とがコヒーレントに結合され得るというインジケータを受信する
ように構成された、Ｃ２２に記載のデバイス。
［Ｃ２４］
前記第１のＣＲＳ送信と前記第２のＣＲＳ送信とが第１のフレーム内で生じる、Ｃ２０に記載のデバイス。
［Ｃ２５］
前記プロセッサは、
第１のフレームと第２のフレームとの間で位相不連続性が使用されると決定する
ように構成された、Ｃ２０に記載のデバイス。
［Ｃ２６］
前記位相不連続性が位相ランプアップを備える、Ｃ２５に記載のデバイス。
［Ｃ２７］
第１の共通基準信号（ＣＲＳ）送信と第２のＣＲＳ送信との間で位相連続性が仮定され得ないと決定するためのコードと、
前記位相連続性を維持することなしに前記第１のＣＲＳ送信と前記第２のＣＲＳ送信とを受信するためのコードと
を備える非一時的コンピュータ可読媒体
を備えるワイヤレス通信システムのためのコンピュータプログラム製品。
［Ｃ２８］
前記非一時的コンピュータ可読媒体は、
前記位相連続性が仮定され得ないというインジケータを受信するためのコード
をさらに備える、Ｃ２７に記載のコンピュータプログラム製品。
［Ｃ２９］
前記非一時的コンピュータ可読媒体は、
連続ＣＲＳ位相を使用する第３のＣＲＳ送信と第４のＣＲＳ送信とを受信するためのコードと、
前記位相連続性が仮定され得るというインジケータを受信するためのコードと
をさらに備える、Ｃ２７に記載のコンピュータプログラム製品。
［Ｃ３０］
前記非一時的コンピュータ可読媒体は、
前記第３のＣＲＳ送信と前記第４のＣＲＳ送信とがコヒーレントに結合され得るというインジケータを受信するためのコード
をさらに備える、Ｃ２９に記載のコンピュータプログラム製品。